(57)【要約】【課題】炊飯器の内部の内釜を単体で取り出し、内釜のみを持ち運びできる蓋、及びその蓋が用いられる内釜を有する炊飯器を得ることを目的とする。【解決手段】炊飯機能を有した炊飯器の本体に収容され、上部に開口部と、外周面より突出して形成されたフランジを有している内釜に取り付けられる蓋であって、蓋は、フランジに着脱自在に係合する係合部を有するものである。【選択図】図３
2017051530.tif 000002
【特許請求の範囲】
【請求項１】
炊飯機能を有した炊飯器の本体に収容され、上部に開口部と、外周面より突出して形成されたフランジと、を有している内釜に、取り付けられる蓋であって、
前記蓋は、前記フランジに着脱自在に係合する係合部を有する、
ことを特徴とする蓋。
【請求項２】
前記係合部は、蓋の中心点に対して点対称の位置になるよう少なくとも２つ配置され、それぞれ前記内釜の中心側に向けて付勢されている
ことを特徴とする請求項１に記載の蓋。
【請求項３】
前記係合部は、前記蓋に着脱自在に装着される、
ことを特徴とする請求項２に記載の蓋。
【請求項４】
前記内釜との接触部にシール部材を備えた、
ことを特徴とする請求項１〜３の何れか一項に記載の蓋。
【請求項５】
多孔質の炭、セラミック、木材、金属、土又は樹脂により形成されている、
ことを特徴とする請求項１〜４の何れか一項に記載の蓋。
【請求項６】
上面であって、蓋の中心点に対して点対称の位置になるよう配置された少なくとも２つの把持部を有し、該把持部は樹脂により形成されている、
ことを特徴とする請求項１〜５の何れか一項に記載の蓋。
【請求項７】
上面であって、前記把持部同士を結ぶ線以外の箇所に支持部を設け、該支持部の先端には樹脂カバーが取り付けられている、
ことを特徴とする請求項６に記載の蓋。
【請求項８】
前記係合部は、少なくとも外表面が樹脂で構成されている、
ことを特徴とする請求項１〜７の何れか一項に記載の蓋。
【請求項９】
上部に開口部と、外周面に突出して形成されたフランジとを有し、炊飯機能を有する本体に収容される内釜と、
前記フランジに着脱自在に係合する係合部を複数有する蓋と、を備えた
ことを特徴とする炊飯器。
【請求項１０】
炊飯機能を有した炊飯器の本体に収容され、上部に開口部と、外周面より突出して形成されそれぞれの間にフランジ凹部が形成される複数のフランジと、を有する内釜と、
前記フランジに着脱自在に係合する係合部を複数有する蓋と、を備え、
前記係合部は、前記フランジ凹部に挿入され、前記蓋が円周方向に回転されることで、前記係合部に前記フランジが挿入されて、前記係合部と前記フランジが係合する
ことを特徴とする炊飯器。
【請求項１１】
前記複数のフランジは、第１の係合片をそれぞれ備え、
前記複数の係合部は前記フランジを挿入する側の端部に前記第１の係合片と係合する第２の係合片をそれぞれ備えた
ことを特徴とする請求項１０に記載の炊飯器。
【請求項１２】
前記複数の係合部は、前記フランジを挿入する側の端部とは異なる他端部に前記フランジと当接する壁部を備えた、
ことを特徴とする請求項１０又は１１に記載の炊飯器。
【発明の詳細な説明】
【技術分野】
【０００１】
本発明は、蓋、及びその蓋が用いられる内釜を有する炊飯器に関するものである。
【背景技術】
【０００２】
従来、誘導加熱コイルと、前記誘導加熱コイルからの誘導加熱を制御する制御装置とを有する加熱ユニットと、前記誘導加熱コイルにより誘導加熱される炊飯用の内釜と、前記炊飯用の内釜を開閉可能に覆う蓋と、前記内釜を覆う保温用の真空断熱材と、前記誘導加熱コイルが発生する磁界を受けて誘導電流を発生する受電コイルと、前記受電コイルから発生した誘導電流により誘導加熱を行う２次コイルを側面または蓋の少なくとも一方に配置した保温ユニットからなり、保温ユニットは加熱ユニットと着脱可能であり、加熱ユニットと保温ユニットとは一体で炊飯を行い、炊飯後は保温ユニットのみを移動できる炊飯器が提案されている（例えば特許文献１参照）。
【先行技術文献】
【特許文献】
【０００３】
【特許文献１】特開２００１−２９９５７５号公報
【発明の概要】
【発明が解決しようとする課題】
【０００４】
特許文献１に記載の炊飯器は、炊飯後には炊飯用の内釜を内蔵した保温ユニットを加熱ユニットから分離して移動できる。しかし、上記の炊飯器では炊飯用の内釜のみを移動したい場合にも保温ユニットを一体として移動しなければならず、持ち運びが手間となってしまうという問題点があった。
【０００５】
本発明は、上記のような問題点を解決するためになされたものであり、炊飯器の内部の内釜を単体で取り出し、内釜のみを持ち運びできる蓋、及びその蓋が用いられる内釜を有する炊飯器を得ることを目的とする。
【課題を解決するための手段】
【０００６】
本発明に係る蓋は、炊飯機能を有した炊飯器の本体に収容され、上部に開口部と、外周面より突出して形成されたフランジと、を有している内釜に、取り付けられる蓋であって、前記蓋は、前記フランジに着脱自在に係合する係合部を有する、ものである。
【０００７】
本発明に係る炊飯器は、上記の蓋と、羽釜の形状をした前記内釜を備えたものである。
【発明の効果】
【０００８】
本発明に係る蓋によれば、内釜のフランジに係合するフックを蓋に設ける。このようにすることで、炊飯器の本体に収容された内釜を取り出し、内釜のみを持ち運びできる蓋を得ることができる。
【０００９】
本発明に係る炊飯器によれば、炊飯器の本体に収容された内釜を取り出し、内釜のみを持ち運びできる炊飯器を得ることができる。
【図面の簡単な説明】
【００１０】
【図１】本発明の実施の形態１に係る炊飯器の概略斜視図である。
【図２】本発明の実施の形態１に係る炊飯器の上蓋を開放した状態を示す概略斜視図である。
【図３】本発明の実施の形態１に係る炊飯器の内釜に蓋が取り付けられた状態を示す概略斜視図である。
【図４】本発明の実施の形態１に係る炊飯器の蓋を示す概略斜視図である。
【図５】本発明の実施の形態２に係る炊飯器の蓋からフックを取り外した状態を示す概略斜視図である。
【図６】本発明の実施の形態３に係る炊飯器の内釜に蓋が取り付けられた状態を示す概略斜視図である。
【図７】本発明の実施の形態３に係る炊飯器の蓋に把持部を設けた状態を示す概略斜視図である。
【図８】本発明の実施の形態４に係る炊飯器の内釜に蓋が取り付けられた状態を示す概略斜視図である。
【図９】本発明の実施の形態４に係る炊飯器の内釜に蓋が取り付けられる前の状態を示す概略斜視図である。
【図１０】本発明の実施の形態４に係る炊飯器のフランジとフックの係合状態を示す概略透視図である。
【図１１】本発明の実施の形態４に係る炊飯器の内釜に蓋が取り付けられた状態を示す概略断面図である。
【発明を実施するための形態】
【００１１】
以下、本発明の炊飯器の実施の形態について、図面を参照して説明する。なお、図面の形態は一例であり、本発明を限定するものではない。また、各図において同一の符号を付したものは、同一の又はこれに相当するものであり、これは明細書の全文において共通している。さらに、以下の図面では各構成部材の大きさの関係が実際のものとは異なる場合がある。
【００１２】
実施の形態１．
［炊飯器の構成］
図１は、本発明の実施の形態１に係る炊飯器の概略斜視図である。図１に示されるように、炊飯器１００は、本体１と、本体１の上部に開閉自在に取り付けられる上蓋２と、を備える。本体１の前面側の上部には蓋を開閉するための蓋開閉ボタン４が設けられている。また、上蓋２の上面には炊飯器１００を操作するための複数の操作部３と、炊飯器１００の動作状態又は操作メニュー等を表示する表示部５が設けられている。
【００１３】
図２は、本発明の実施の形態１に係る炊飯器の上蓋を開放した状態を示す概略斜視図である。図２に示されるように、本体１は上部に開口部を有し、当該開口部には内釜１０が取り出し自在に収納されている。本体１の内部には加熱コイル（図示省略）が設けられ、内釜１０を誘導加熱する。内釜１０は、上部に開口部６を有し、例えば炭により形成され、後述する羽釜の形状をしている。
【００１４】
［内釜の構成］
図３は、本発明の実施の形態１に係る炊飯器の内釜に蓋が取り付けられた状態を示す概略斜視図である。図３に示されるように、内釜１０は、羽釜形状となっている。羽釜形状とは、上部に開口部６（図２参照）を有するお椀型の形状であって、内釜１０の外周面より外縁が径方向に突出して形成されたフランジ１１を有しているものである。フランジ１１についてより詳細に説明すると、フランジ１１は、内釜１０が水平で平坦な場所に置かれた状態において、内釜１０の外縁が水平方向に一周して突出した部分である。また、フランジ１１より上部側には円周方向に沿って立設された羽部７が設けられている。そして、内釜１０の上部の開口部６は、蓋２０で覆われている。
【００１５】
［蓋の構成］  
蓋２０の上面には蓋２０の中心点を対称点として点対称の位置にフック２１がヒンジ２２を介して回動自在に設けられている。また、フック２１はヒンジ２２によって蓋２０の中心側に向かって閉じる方向に付勢されている。なお、本実施の形態１においてフック２１はヒンジ２２によって閉じる方向に付勢されている例を示したが、本発明はこれに限定されず、閉じる方向に付勢させなくてもよい。蓋２０は、多孔質の炭、セラミック、木材、金属、土又は樹脂により形成されている。なお、フック２１は本発明の係合部に相当する。
【００１６】
内釜１０に蓋２０を取り付ける際には、フック２１を開き、フック２１が内釜１０のフランジ１１をかわした後に、フック２１を閉じてフック２１をフランジ１１に係合させる。これにより、蓋２０を内釜１０に取り付けることができる。ここで、フック２１は、ヒンジ２２によって閉じる方向に付勢されているので、蓋２０の両端に設けられたフック２１は、フランジ１１を挟持することができる。これにより、蓋２０を内釜１０に強固に固定することが可能となる。
【００１７】
一方で、内釜１０から蓋２０を取り外す際には、フック２１を開き、フック２１が内釜１０のフランジ１１をかわした後にフック２１を閉じるようにする。このようにすることで、蓋２０が内釜１０の上部開口部を着脱自在に覆うことができる。
【００１８】
図４は、本発明の実施の形態１に係る炊飯器の蓋を示す概略斜視図である。図４に示されるように、フック２１の下端部には指掛け部２４が設けられている。ユーザは、内釜１０を移動させる際には、指掛け部２４に指を掛けることで、熱い内釜１０に直接触れることなく、内釜１０を移動させることが可能となる。また、フック２１の外表面及び指掛け部２４は、断熱性の高い樹脂又はエラストマーにより覆われている。これにより、熱い炊飯物を収容した内釜１０からフック２１に熱が伝わった場合においても、樹脂等により指掛け部２４に伝わる熱を軽減でき、熱さを感じることなく内釜１０を移動させることが可能となる。
【００１９】
蓋２０は、内釜１０との接触部にシール部材２３を備えている。蓋２０と内釜１０との間にシール部材２３を設けることで、内釜１０の内部の気密性が増し、炊飯物の乾燥及び炊飯物の温度の低下を抑えることが可能となる。シール部材２３としては、一般的な炊飯器の内蓋に使用されているヒダの付いた形状のものを共通して使用することが量産性の観点から簡便に済ませることができ、シールの性能も高い。
【００２０】
［実施の形態１の効果］
以上のことから、本実施の形態１によれば、蓋２０は、炊飯機能を有した炊飯器１００の本体１に収容され、上部が開口し外縁が円周方向に突出して形成されたフランジ１１を有し、内釜１０に取り付けられる蓋２０であって、蓋２０は、フランジ１１に着脱自在に係合するフック２１を複数有する。このようにすることで、炊飯器１００の本体１に収容された内釜１０を取り出し、内釜１０のみを持ち運びできる蓋２０を得ることができる。
【００２１】
また、フック２１は、対角位置に設けられ、中心側に向かってフランジ１１を挟持する。このようにすることで、蓋２０を内釜１０に、より強固に固定することが可能となる。
【００２２】
また、蓋２０は、内釜１０との接触部にシール部材を備えている。このようにすることで、内釜１０の内部の気密性が増し、炊飯物の乾燥及び炊飯物の温度の低下を抑えることが可能となる。
【００２３】
また、フック２１の外表面及び指掛け部２４は、断熱性の高い樹脂又はエラストマーにより覆われている。これにより、熱い炊飯物を収容した内釜１０からフック２１に熱が伝わった場合においても、樹脂等により指掛け部２４に伝わる熱を軽減でき、熱さを感じることなく内釜１０を移動させることが可能となる。
【００２４】
実施の形態２．
本実施の形態２における蓋２０の基本的な構成は実施の形態１における蓋２０と同様であるため、以下、実施の形態１との相違点を中心に本実施の形態２を説明する。実施の形態１と本実施の形態２との相違点は、蓋からフックが取り外せる点である。
【００２５】
図５は、本発明の実施の形態２に係る炊飯器の蓋からフックを取り外した状態を示す概略斜視図である。図５に示されるように、蓋２０ａは、上面の対角位置の両端、つまり蓋２０ａの中心点を対称点として点対称の位置にロック用溝２５と、ロック用溝２５に着脱可能なフック２１ａを備える。フック２１ａはロック用溝２５に嵌合され、さらにフック２１ａは内釜１０のフランジ１１（図３参照）に係合する。このようにすることで、内釜１０と蓋２０を一体化することができる。なお、フック２１ａは本発明の係合部に相当する。
【００２６】
［実施の形態２の効果］
以上のことから、フック２１ａは、蓋２０ａに着脱自在に装着される。このようにすることで、実施の形態１の効果に加えて、蓋２０ａを蓋のみの機能を有する蓋として扱うことが可能となり使いやすさを増すことができる。
【００２７】
実施の形態３．
本実施の形態３における蓋の基本的な構成は実施の形態２における蓋と同様であるため、以下、実施の形態２との相違点を中心に本実施の形態３を説明する。実施の形態２と本実施の形態３との相違点は、蓋に把持部を備えた点である。
【００２８】
図６は、本発明の実施の形態３に係る炊飯器の内釜に蓋が取り付けられた状態を示す概略斜視図である。また、図７は、本発明の実施の形態３に係る炊飯器の蓋に把持部を設けた状態を示す概略斜視図である。図６及び図７に示されるように、蓋２０ｂの上面には蓋２０ｂの中心点を対称点として点対称の位置に把持部２９を備えている。把持部２９は、例えば断熱性の高い樹脂により形成されている。また、蓋２０ｂは、上面の把持部２９同士を結ぶ線以外の箇所に支持部２８を設けている。蓋２０ｂの上面の把持部２９同士を結ぶ線以外の箇所としては、上面の把持部２９同士を結ぶ線から９０°ずらした位置が例として挙げられる。また、支持部２８の先端には、断熱性の高い樹脂カバー２７を設ける。
【００２９】
このようにすることで、フック２１ａを介して蓋２０ａ及び内釜１０を一体化させた後、把持部２９を手に持ち、内釜１０を移動させることが可能となる。また、移動後に、蓋２０ｂを取り外し、ひっくり返して置いた場合に、把持部２９と支持部２８とが支点となることで、蓋２０ｂを安定して置くことが可能となる。この際、支持部２８の先端には、断熱性の高い樹脂カバー２７が設けられ、把持部２９も断熱性の高い樹脂により形成されている。したがって、蓋２０ｂをひっくり返した後に、蓋２０ａの内面側に内釜１０を載置することで、蓋２０ｂを鍋敷きのように使用することも可能である。
【００３０】
［実施の形態３の効果］
以上のことから、蓋２０ｂは、蓋２０ｂの上面の径方向の両端部に把持部２９を有し、把持部２９は樹脂により形成されている。このようにすることで、実施の形態２の効果に加えて、フック２１ａを介して蓋２０ｂ及び内釜１０を一体化させた後、把持部２９を手に持ち、内釜１０を移動させることが可能となる。
【００３１】
また、蓋２０ｂは、蓋２０ｂの上面であって、把持部２９同士を結ぶ線以外の箇所に支持部２８を設け、支持部２８の先端には樹脂カバー２７が取り付けられている。このようにすることで、蓋２０ｂを取り外し、ひっくり返して置いた場合に、把持部２９と支持部２８とが支点となることで、蓋２０ｂを安定して置くことが可能となる。
【００３２】
実施の形態４．
本実施の形態４における蓋の基本的な構成は実施の形態１における蓋と同様であるため、以下、実施の形態１との相違点を中心に本実施の形態４を説明する。実施の形態１と本実施の形態４との相違点は、蓋を回転させてフックとフランジを係合させる点である。
【００３３】
図８は、本発明の実施の形態４に係る炊飯器の内釜に蓋が取り付けられた状態を示す概略斜視図である。図８に示されるように、内釜１０の上部には蓋２０ｃが載置されている。蓋２０ｃの外周部には下方に延出するフック２１ｃが複数設けられている。なお、フック２１ｃは本発明の係合部に相当する。
【００３４】
図９は、本発明の実施の形態４に係る炊飯器の内釜に蓋が取り付けられる前の状態を示す概略斜視図である。図９に示されるように、内釜１０の上部の外縁が円周方向に突出して形成されたフランジ１１ｃが複数形成されている。フランジ１１ｃの端部には下方に突出した第一の係合片３０が設けられている。また、フランジ１１ｃ同士の間にはフランジ凹部１１ｄが複数形成されている。
【００３５】
次に、蓋２０ｃを内釜１０に固定する方法について説明する。フック２１ｃをフランジ１１ｃのフランジ凹部１１ｄに挿入し、蓋２０ｃを周方向に回転させる。すると、フランジ１１ｃがフック２１ｃの内部に挿入される。このようにして、フック２１ｃとフランジ１１ｃとは係合する。この際、第一の係合片３０は、フック２１ｃがフランジ１１ｃから抜けないようにフック２１ｃを係止する。
【００３６】
図１０は、本発明の実施の形態４に係る炊飯器のフランジとフックの係合状態を示す概略透視図である。また、図１１は、本発明の実施の形態４に係る炊飯器の内釜に蓋が取り付けられた状態を示す概略断面図である。図１０及び図１１に示されるように、フランジ１１ｃは端部に下方に突出した第一の係合片３０を備えている。同様に、フック２１ｃのフランジ１１ｃを挿入する側の端部には、上方へ突出する第二の係合片３１が設けられている。フランジ１１ｃがフック２１ｃに挿入された後、第一の係合片３０と第二の係合片３１とが係合することで、フランジ１１ｃがフック２１ｃから抜けることを防止する。
【００３７】
また、蓋２０ｃは、フック２１ｃのフランジ１１ｃを挿入する側の端部とは異なる他端部に壁部３２を備えている。これにより、蓋２０ｃを回転させ過ぎた場合でも、フランジ１１ｃがフック２１ｃの壁部３２に当接することで蓋２０ｃがフランジ１１ｃから抜けることを防止することができる。
【００３８】
［実施の形態４の効果］
以上のことから、フランジ１１ｃは、円周方向に複数のフランジ凹部１１ｄを有し、フック２１ｃは、フランジ凹部１１ｄに挿入され円周方向に回転されることで、フランジ１１ｃがフック２１ｃに挿入され、フランジ１１ｃと係合するように形成されている。このようにすることで、実施の形態１の効果に加えて、炊飯器１００の本体１に収容された内釜１０を取り出し、内釜１０のみを持ち運びできる蓋２０を得ることができる。
【００３９】
また、フランジ１１ｃは、端部にフック２１ｃを係止する第一の係合片３０を備えている。このようにすることで、フック２１ｃがフランジ１１ｃから抜けないようにフック２１ｃを係止することが可能となる。
【００４０】
また、蓋２０ｃは、フック２１ｃのフランジ１１ｃを挿入する側の端部に第一の係合片３０と係合する第二の係合片３１を備えている。このようにすることで、フランジ１１ｃがフック２１ｃに挿入された後、第一の係合片３０と第二の係合片３１とが係合することで、フランジ１１ｃがフック２１ｃから抜けることを防止することが可能となる。
【００４１】
また、蓋２０ｃは、フック２１ｃのフランジ１１ｃを挿入する側の端部とは異なる他端部にフランジ１１ｃと当接する壁部３２を備えている。このようにすることで、蓋２０ｃを回転させ過ぎた場合でも、フランジ１１ｃがフック２１ｃの壁部３２に当接することで蓋２０ｃがフランジ１１ｃから抜けることを防止することができる。
【００４２】
また、炊飯器１００は、以上に述べた蓋２０、２０ａ、２０ｂ、２０ｃと、羽釜の形状をした内釜１０を備えている。このようにすることで、炊飯器１００の本体１に収容された内釜１０を取り出し、内釜１０のみを持ち運びできる蓋２０を得ることができる。
【００４３】
以上、実施の形態１〜４について説明したが、本発明は各実施の形態の説明に限定されない。例えば、各実施の形態の全て又は一部を組み合わせることも可能である。
【符号の説明】
【００４４】
１  本体、２  上蓋、３  操作部、４  蓋開閉ボタン、５  表示部、６  開口部、７  羽部、１０  内釜、１１  フランジ、１１ｃ  フランジ、１１ｄ  フランジ凹部、２０  蓋、２０ａ  蓋、２０ｂ  蓋、２０ｃ  蓋、２１  フック、２１ａ  フック、２１ｃ  フック、２２  ヒンジ、２３  シール部材、２４  指掛け部、２５  ロック用溝、２７  樹脂カバー、２８  支持部、２９  把持部、３０  第一の係合片、３１  第二の係合片、３２  壁部、１００  炊飯器。
【図１】
2017051530.tif 000003
【図２】
2017051530.tif 000004
【図３】
2017051530.tif 000005
【図４】
2017051530.tif 000006
【図５】
2017051530.tif 000007
【図６】
2017051530.tif 000008
【図７】
2017051530.tif 000009
【図８】
2017051530.tif 000010
【図９】
2017051530.tif 000011
【図１０】
2017051530.tif 000012
【図１１】
2017051530.tif 000013